Podtech/llm-jp-corpus-v4-ja_patent huggingface dataset:
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
適応的動き補償フレーム間予測を行うことにより得た予測画像と、復号化された予測誤差情報とから画像を復元する動画像復号化装置であって、
既に復号化された映像信号を記憶しておくためのフレームメモリと、
予測モード情報および動きベクトルを含むサイド情報を復号するサイド情報復号化部と、
画像フレームを複数の処理領域に分割し、前記動きベクトルを用いて前記処理領域毎に複数の動き補償フレーム間予測方式により、前記フレームメモリに記憶された映像信号から前記予測モード情報に応じて予測画像を生成する予測部と
を備え、該予測部は、
前記処理領域に対し、ブロック移動による予測方式を用いて前記予測画像を生成する第１の予測モードと、
前記処理領域に対し、アフィン変換による予測方式を用いて前記予測画像を生成する第２の予測モードと、
前記処理領域を更に細かく分割した複数の小領域に対し、ブロック移動による予測方式を用いて前記予測画像を生成する第３の予測モードと
を有することを特徴とする動画像復号化装置。
【請求項２】
適応的動き補償フレーム間予測を行うことにより得た予測画像と、復号化された予測誤差情報とから画像を復元する動画像復号化装置であって、
既に復号化された映像信号を記憶しておくためのフレームメモリと、
予測モード情報を含むサイド情報を復号するサイド情報復号化部と、
前記フレームメモリに記憶された映像信号から予測画像を生成する動き補償フレーム間予測部とを備え、
前記動き補償フレーム間予測部は、画像フレームをサイズが可変である複数の処理領域に分割し、前記予測モード情報に基づいて選択された予測方式により前記処理領域毎に予測画像を生成することを特徴とする動画像復号化装置。
【手続補正２】
【補正対象書類名】明細書
【補正対象項目名】０００９
【補正方法】変更
【補正の内容】
【０００９】
画像符号化部１２は、入力された予測誤差信号をＤＣＴ(Discrete Cosine Transform)変換などの空間変換および量子化を行い、符号化画像情報として出力する。同時に、画像符号化部１２から出力された符号化画像情報は、画像復号化部１４によりローカル復号され、加算部１５に出力される。
【手続補正３】
【補正対象書類名】明細書
【補正対象項目名】００２８
【補正方法】変更
【補正の内容】
【００２８】
本願発明は、適応的動き補償フレーム間予測を行うことにより得た予測画像と、復号化された予測誤差情報とから画像を復元する動画像復号化装置であって、既に復号化された映像信号を記憶しておくためのフレームメモリと、予測モード情報および動きベクトルを含むサイド情報を復号するサイド情報復号化部と、画像フレームを複数の処理領域に分割し、前記動きベクトルを用いて前記処理領域毎に複数の動き補償フレーム間予測方式により、前記フレームメモリに記憶された映像信号から前記予測モード情報に応じて予測画像を生成する予測部とを備え、該予測部は、前記処理領域に対し、ブロック移動による予測方式を用いて前記予測画像を生成する第１の予測モードと、前記処理領域に対し、アフィン変換による予測方式を用いて前記予測画像を生成する第２の予測モードと、前記処理領域を更に細かく分割した複数の小領域に対し、ブロック移動による予測方式を用いて前記予測画像を生成する第３の予測モードとを有することを特徴とする。
また、本願発明は、適応的動き補償フレーム間予測を行うことにより得た予測画像と、復号化された予測誤差情報とから画像を復元する動画像復号化装置であって、既に復号化された映像信号を記憶しておくためのフレームメモリと、予測モード情報を含むサイド情報を復号するサイド情報復号化部と、前記フレームメモリに記憶された映像信号から予測画像を生成する動き補償フレーム間予測部とを備え、前記動き補償フレーム間予測部は、画像フレームをサイズが可変である複数の処理領域に分割し、前記予測モード情報に基づいて選択された予測方式により前記処理領域毎に予測画像を生成することを特徴とする。
【手続補正４】
【補正対象書類名】明細書
【補正対象項目名】００３４
【補正方法】変更
【補正の内容】
【００３４】
領域予測決定部３３は、予測部１〜ｎ（３２ａ〜３２ｎ）より入力された予測画像１〜ｎと入力画像フレームから差分を計算し、各処理小領域毎に誤差が最小となる予測画像を採用し、処理小領域を構成する動きベクトル、領域情報、予測モード情報などのサイド情報をサイド情報符号化部３４に出力し、また、採用された各処理小領域をまとめて予測画像フレームとして出力する。
【手続補正５】
【補正対象書類名】明細書
【補正対象項目名】００４０
【補正方法】変更
【補正の内容】
【００４０】
領域予測選択部３７は、サイド情報復号化部３５からの領域情報、予測モード情報に従って、予測部１〜ｎ（３６ａ〜３６ｎ）より入力された予測画像１〜ｎを選択して、予測画像フレームを生成する。そして、得られた予測画像フレームを出力する。
【手続補正書】
【提出日】平成19年2月1日(2007.2.1)
【手続補正１】
【補正対象書類名】特許請求の範囲
【補正対象項目名】請求項１
【補正方法】変更
【補正の内容】
【請求項１】
並設コイルと共に少なくとも３つの磁極片を備えるヨークに、所定手段によって支持される可動子マグネットを対向配設すると共に、該可動子マグネットを、その極に対して磁極片を同極または異極性に励磁することにより磁気推力を与え、磁極片間を往復駆動すべく構成せしめたリニアアクチュエータであって、前記可動子マグネットの極には、該可動子マグネットの磁力線を前記少なくとも２つの磁極片に向けてそれぞれ磁路を形成すべく強磁性片を設けると共に、該強磁性片の各先端部を、その停止位置において、移動方向に推力を与えるべく前記磁極片の中心位置よりも移動方向に位置ズレさせて構成してあることを特徴とするリニアアクチュエータ。
【手続補正２】
【補正対象書類名】明細書
【補正対象項目名】０００６
【補正方法】変更
【補正の内容】
【０００６】
上記課題を解決するために本発明が採用した技術手段は、並設されるコイルと共に少なくとも３つの磁極片を備えるヨークに、所定手段によって支持される可動子マグネットを対向配設すると共に、該可動子マグネットを、その極に対して停止位置側の磁極片を同極性に励磁し、移動側の磁極片を異極性に励磁することにより磁気推力を与え、磁極片間を往復駆動すべく構成せしめたリニアアクチュエータであって、前記可動子マグネットの極には、該可動子マグネットの磁力線を前記少なくとも２つの磁極片に向けてそれぞれ磁路を形成すべく強磁性片を設けると共に、該強磁性片の各先端部を、その停止位置において、移動方向に推力を与えるべく前記磁極片の中心位置よりも移動方向に位置ズレさせて構成してあることを特徴とするものである。
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
無線信号を受信可能に形成されたアンテナ手段を収容するアンテナ収容装置であって、
前記アンテナ手段を収容する収容手段と、
前記収容手段の近傍に配置され、前記収容手段に収容された前記アンテナ手段に対して検査用の無線信号を送信する検査信号送信手段と、
を備えたことを特徴とするアンテナ収容装置。
【請求項２】
収容対象たる前記アンテナ手段は複数存在し、
前記収容手段は、前記アンテナ手段の個数に対応して複数配置され、
前記検査信号送信手段は、複数の前記収容手段に応じて複数配置され、
複数の前記検査信号送信手段を順次選択して駆動させる制御手段をさらに備えたことを特徴とする請求項１に記載のアンテナ収容装置。
【請求項３】
前記収容手段は、前記アンテナ手段と前記検査信号送信手段との間の位置関係を固定する固定手段を備えたことを特徴とする請求項１または２に記載のアンテナ収容装置。
【請求項４】
前記アンテナ手段は、無線送信機能を備えると共に通常使用の際に被検体内に導入される被検体内導入装置から送信される無線信号を受信する機能を有し、
前記検査用の無線信号は、前記被検体内導入装置より送信される無線信号と同様の信号パターンを含むことを特徴とする請求項１〜３のいずれか一つに記載のアンテナ収容装置。
【請求項５】
前記アンテナ手段は、撮像機能および無線送信機能を備えると共に通常使用の際に被検体内に導入され、前記被検体内導入装置から送信される、撮像した画像データを含む無線信号を受信する機能を有し、
前記検査用の無線信号は、前記被検体内導入装置から送信される画像データと同様の画像データを含むことを特徴とする請求項４に記載のアンテナ収容装置。
【請求項６】
前記収容手段は、
前記固定手段を回転可能に動作させる回転軸と、
前記回転軸を中心に回動する前記固定手段に対して弾発力を発生するバネ部材と、
を備え、
前記固定手段は、前記バネ部材の弾発力を受けて前記アンテナ手段を押圧することを特徴とする請求項３に記載のアンテナ収容装置。
【請求項７】
それぞれ無線信号を受信可能に形成された複数のアンテナ手段を収容するアンテナ収容装置と、該アンテナ収容装置に収容されたアンテナ手段の性能検査を行う検査装置とを備えたアンテナ検査システムであって、
前記アンテナ収容装置は、
前記アンテナ手段を収容する収容手段と、
前記収容手段近傍に配置され、前記収容手段に収容された前記アンテナ手段に対して検査用の無線信号を出力する検査信号送信手段と、
を備え、
前記検査装置は、
前記アンテナ手段と電気的に接続するための接続手段と、
前記アンテナ手段を介して受信され、前記接続手段を介して入力された検査用信号に対して所定の処理を施す信号処理手段と、
を備えたことを特徴とするアンテナ検査システム。
【請求項８】
前記検査装置は、前記アンテナ手段の通常使用時に受信装置として機能し、
前記信号処理手段は、前記アンテナ手段を介して受信された無線信号に対して所定の処理を施すことを特徴とする請求項７に記載のアンテナ検査システム。
【請求項９】
前記検査装置は、前記信号処理手段によって処理された信号の内容を表示する表示手段をさらに備えたことを特徴とする請求項７または８に記載のアンテナ検査システム。
【請求項１０】
前記信号処理手段によって処理された信号に基づく画像データを視覚的に表示する表示装置をさらに備えたことを特徴とする請求項７または８に記載のアンテナ検査システム。
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
始動条件が成立することに起因して識別情報を表示手段に変動表示し、その変動表示結果を前記表示手段に表示する表示制御手段を備えた遊技機において、
前記表示制御手段は、
識別情報の背後側に位置する背景画像である背景情報を前記表示手段にスクロール表示する背景情報スクロール表示手段と、
停止条件の成立を検出する停止条件成立検出手段と、
前記停止条件成立検出手段での停止条件成立検出に基づいて、前記表示手段での背景情報のスクロール表示を停止するスクロール表示停止手段と、
を備えていることを特徴とする遊技機。
【請求項２】
請求項１に記載の遊技機において、
前記表示制御手段は、
さらに、前記スクロール表示停止手段によって停止表示された背景情報を利用して、遊技者に提供する情報であって遊技に関する提供情報を表示する提供情報表示手段を備えている
ことを特徴とする遊技機。
【請求項３】
請求項１または請求項２に記載の遊技機において、
前記表示制御手段は、前記識別情報とは別の表示情報を、前記表示手段の前記背景情報上に配置表示する表示情報配置手段を備えている
ことを特徴とする遊技機。
【請求項４】
請求項３に記載の遊技機において、
前記表示制御手段は、
さらに、前記背景情報スクロール表示手段での背景情報のスクロール表示に連動させるようにして、前記表示情報配置手段により配置された表示情報を所定の繰り返し動作で表示する表示情報動作表示手段
を備えていることを特徴とする遊技機。
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
複数の絵柄を可変表示する可変表示装置と、
貯留部に貯留した遊技球を受け入れる受入手段と、
複数個の遊技球を１単位として所定単位の遊技球を前記受入手段により受け入れさせるべく操作される入力操作手段と、
前記入力操作手段の操作に伴い入力操作信号が入力されたことの入力確認を行う入力操作確認手段と、
前記複数の絵柄の可変表示を開始させるべく操作される始動操作手段と、
前記始動操作手段の操作に伴い始動操作信号が入力されたことの入力確認を行う始動操作確認手段と、
前記複数の絵柄の可変表示を停止させるべく操作される停止操作手段と、
前記停止操作手段の操作に伴い停止操作信号が入力されたことの入力確認を行う停止操作確認手段と、
前記始動操作確認手段が前記始動操作信号の入力確認を行ったことに基づいて前記複数の絵柄の可変表示を開始させ、前記停止操作確認手段が前記停止操作信号の入力確認を行ったことに基づいて前記複数の絵柄の可変表示を停止させるように、前記可変表示装置を制御する可変表示制御手段と
を備え、
前記絵柄の全てが停止した際、前記受入手段に受け入れられた所定単位の遊技球に応じて設定される有効位置に、特定絵柄又は前記絵柄によって形成される特定絵柄の組合せが成立している場合に遊技者に遊技球の払出を行うように構成された遊技機において、
前記始動操作確認手段は、前記入力操作確認手段が前記入力操作信号の入力確認を行った後に、前記受入手段による所定単位の遊技球の受入完了を待つことなく前記始動操作信号の入力確認を行う受入完了前確認手段を備えることを特徴とする遊技機。
【請求項２】
前記可変表示制御手段は、前記受入手段による所定単位の遊技球の受入完了を待つことなく、前記始動操作確認手段が前記始動操作信号の入力確認を行ったことに基づいて前記複数の絵柄の可変表示を開始させるよう前記可変表示装置を制御することを特徴とする請求項１記載の遊技機。
【請求項３】
前記入力操作確認手段が前記入力操作信号の入力確認を行ってから所定時間が経過しても前記所定単位の遊技球受入が完了しなかった場合、それまでに受け入れた遊技球を払い戻す払戻手段を備えることを特徴とする請求項１又は２に記載の遊技機。
【請求項４】
前記始動操作確認手段が前記始動操作信号の入力確認を行ってから第２所定時間を経過しても前記所定単位の遊技球受入が完了しなかった場合、前記複数の絵柄の可変表示を停止させるよう前記可変表示装置を停止制御する停止制御手段を備えることを特徴とする請求項１乃至３のいずれかに記載の遊技機。
【請求項５】
前記停止制御手段は、前記有効位置に、少なくとも前記特定絵柄の組合せが成立しないよう前記可変表示装置を停止制御することを特徴とする請求項４記載の遊技機。
【請求項６】
前記始動操作確認手段が前記始動操作信号の入力確認を行ったことと、前記受入手段が前記所定単位の遊技球受入を完了したこととを条件として、前記特定絵柄又は前記特定絵柄の組合せを前記有効位置に停止させることが可能か否かの抽選を行う抽選手段を備えたことを特徴とする請求項１乃至５のいずれかに記載の遊技機。
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
以下の（ａ）又は（ｂ）のＤＮＡを含む単離された植物由来のスペルミジン合成酵素（ＳＰＤＳ）遺伝子：
（ａ）  配列番号１の塩基配列からなるＤＮＡ；
（ｂ）  配列番号２に記載されるアミノ酸配列をコードするＤＮＡ。
【請求項２】
以下の（ａ）又は（ｂ）のＤＮＡを含む単離された植物由来のＳ−アデノシルメチオニン脱炭酸酵素（ＳＡＭＤＣ）遺伝子：
（ａ）配列番号７の塩基配列からなるＤＮＡ；
（ｂ）配列番号８に記載されるアミノ酸配列をコードするＤＮＡ。
【請求項３】
請求項１又は２記載の遺伝子を含むことを特徴とする組換えプラスミド。
【請求項４】
請求項３記載の組換えプラスミドで形質転換されたことを特徴とする形質転換体。
【請求項５】
請求項３記載の組換えプラスミドで形質転換されたことを特徴とする植物。
【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
清浄な粒状排泄物処理材導入口及び開閉部材を備えて開閉可能に形成されている使用済み粒状排泄物処理材排出口を有して、粒状排泄物処理材が載置可能な箱形に形成されている排泄部と、前記排泄部の下方に位置して、前記配設部の使用済み粒状排泄物処理材排出口を介して前記排泄部に接続可能であって、開閉部材を備えて開閉可能の使用済み粒状排泄物処理材取出し口を有し、粒状排泄物処理材が載置可能な箱形に形成されている使用済み粒状排泄物処理材収容部と、上端が前記排泄部の清浄な粒状排泄物処理材導入口に接続し、下端が清浄な排泄物処理材供給口に接続する清浄な粒状排泄物処理材の上方移動部とを備えることを特徴とする排泄物処理装置。
【請求項２】
清浄な粒状排泄物処理材導入口及び開閉部材を備えて開閉可能の使用済み粒状排泄物処理材排出口を有して、粒状排泄物処理材が載置可能な箱形に形成されている排泄部と、前記排泄部の下方に位置して、開閉部材を備えて開閉可能に形成されている使用済み粒状排泄物処理材導入口、及び開閉部材を備えて開閉可能の使用済み粒状排泄物処理材取出し口を有して、粒状排泄物処理材が載置可能な箱形に形成されている使用済み粒状排泄物処理材収容部と、上端が前記排泄部の清浄な粒状排泄物処理材導入口に接続し、下端が清浄な排泄物処理材供給口に接続する清浄な粒状排泄物処理材の上方移動部と、上端が前記排泄部の使用済み粒状排泄物処理材排出口に接続し、下端が使用済み粒状排泄物処理材収容部の使用済み排泄物処理材導入口に接続する使用済み粒状排泄物処理材の下方移動部とを備えることを特徴とする排泄物処理装置。
【請求項３】
開閉部材を備えて開閉可能の清浄な粒状排泄物処理材導入口を一方に有し、開閉部材を備えて開閉可能の使用済み粒状排泄物処理材排出口をもう一方に有する側壁部により底壁部の周囲が囲まれて、粒状排泄物処理材が配置可能な箱形容器に形成されている排泄部と、前記排泄部の下方に位置して、開閉部材を備えて開閉可能の使用済み粒状排泄物処理材導入口を一方に有し、開閉部材を備えて開閉可能の使用済み粒状排泄物処理材取出し口をもう一方に有する側壁部により底壁部の周囲が囲まれて、粒状排泄物処理材が配置可能な箱形容器に形成されている使用済み粒状排泄物処理材収容部と、上部で前記排泄部の使用済み粒状排泄物処理材排出口に接続し、下部で使用済み排泄物処理材収容部の使用済み粒状排泄物処理材導入口に接続する使用済み粒状排泄物処理材の下方移動部とを備えることを特徴とする排泄物処理装置。
【請求項４】
開閉部材を備えて開閉可能の粒状排泄物処理材導入口を一方に有し、開閉部材を備えて開閉可能の使用済み粒状排泄物処理材排出口をもう一方に有する側壁部により底壁部の周囲が囲まれて、粒状排泄物処理材が載置可能な箱形容器に形成されている排泄部と、前記排泄部の下方に位置して、開閉部材を備えて開閉可能の使用済み粒状排泄物処理材導入口を一方に有し、開閉部材を備えて開閉可能の使用済み粒状排泄物処理材取出し口をもう一方に有する側壁部により底壁部の周囲が囲まれて、粒状排泄物処理材が載置可能な箱形容器に形成されている使用済み粒状排泄物処理材収容部と、上部で前記排泄部の使用済み粒状排泄物処理材排出口に接続し、下部で使用済み排泄物処理材収容部の使用済み粒状排泄物処理材導入口に接続する使用済み粒状排泄物処理材の下方移動部と、上部で前記排泄部の粒状排泄物処理材導入口に接続し、下部で粒状排泄物処理材供給口に接続する清浄な粒状排泄物処理材の上方移動部を備えることを特徴とする排泄物処理装置。
【請求項５】
排泄部の底部は、清浄な粒状排泄物処理材導入口から使用済み粒状排泄物処理材排出口に向けて下方に傾斜して設けられていることを特徴とする請求項１乃至４の何れか一項に記載の排泄物処理装置。
【請求項６】
排泄部には、清浄な粒状排泄物処理材導入口側から使用済み粒状排泄物処理材排出口側に至る間に、側壁部に案内部材が設けられており、該案内部材に係合して移動可能に掻き具が設けられていることを特徴とする請求項１乃至４の何れか一項に記載の排泄物処理装置。
【請求項７】
清浄な粒状排泄物処理材移動部には、粒状材料搬送装置が備えられていることを特徴とする請求項１乃至４の何れか一項に記載の排泄物処理装置。
【請求項８】
清浄な粒状排泄物処理材移動部に備えられている粒状材料搬送装置は、スクリューコンベヤ装置であることを特徴とする請求項７に記載の排泄物処理装置。
【請求項９】
清浄な粒状排泄物処理材移動部には、粒状材料搬送装置が設けられ、さらに、前記粒状材料搬送装置の清浄な粒状排泄物処理材の供給口に一方で接続すると共に、他方で排泄部に向けて開口する清浄な粒状排泄物処理材の導入路が設けられていることを特徴とする請求項１乃至４の何れか一項に記載の排泄物処理装置。
【請求項１０】
排泄部の使用済み粒状排泄物処理材排出口及び使用済みの粒状排泄物処理材収容部の使用済み粒状排泄物処理材排出口には、開閉扉が設けられており、該開閉扉は、夫々その周辺に配設されている、センサにより開閉制御されることを特徴とする請求項１乃至４の何れか一項に記載の排泄物処理装置。
【請求項１１】
排泄部及び使用済みの粒状排泄物処理材収容部は、角型、楕円型又は円型の平面形状を有する容器形状に形成されていることを特徴とする請求項１乃至４の何れか一項に記載の排泄物処理装置。
【手続補正２】
【補正対象書類名】明細書
【補正対象項目名】０００４
【補正方法】変更
【補正の内容】
【０００４】
本発明は、排泄に使用された粒状排泄物処理材の取り出しを自動的に行うことができる便器を提供することを目的としている。
即ち、本発明は、清浄な粒状排泄物処理材導入口及び開閉部材を備えて開閉可能に形成されている使用済み粒状排泄物処理材排出口を有して、粒状排泄物処理材が載置可能な箱形に形成されている排泄部と、前記排泄部の下方に位置して、前記配設部の使用済み粒状排泄物処理材排出口を介して前記排泄部に接続可能であって、開閉部材を備えて開閉可能の使用済み粒状排泄物処理材取出し口を有し、粒状排泄物処理材が載置可能な箱形に形成されている使用済み粒状排泄物処理材収容部と、上端が前記排泄部の清浄な粒状排泄物処理材導入口に接続し、下端が清浄な排泄物処理材供給口に接続する清浄な粒状排泄物処理材の上方移動部とを備えることを特徴とする排泄物処理装置にあり、また、本発明は、清浄な粒状排泄物処理材導入口及び開閉部材を備えて開閉可能の使用済み粒状排泄物処理材排出口を有して、粒状排泄物処理材が載置可能な箱形に形成されている排泄部と、前記排泄部の下方に位置して、開閉部材を備えて開閉可能に形成されている使用済み粒状排泄物処理材導入口、及び開閉部材を備えて開閉可能の使用済み粒状排泄物処理材取出し口を有して、粒状排泄物処理材が載置可能な箱形に形成されている使用済み粒状排泄物処理材収容部と、上端が前記排泄部の清浄な粒状排泄物処理材導入口に接続し、下端が清浄な排泄物処理材供給口に接続する清浄な粒状排泄物処理材の上方移動部と、上端が前記排泄部の使用済み粒状排泄物処理材排出口に接続し、下端が使用済み粒状排泄物処理材収容部の使用済み排泄物処理材導入口に接続する使用済み粒状排泄物処理材の下方移動部とを備えることを特徴とする排泄物処理装置にある。
【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
一組の子孫ポリヌクレオチドを製造する方法であって、以下のステップ：
(a)  鋳型ポリペプチド配列をコードし、それぞれが複数のコドンを含んでいる鋳型ポリヌクレオチドのコピーを提供するステップ；
(b)  上記鋳型ポリヌクレオチドの各コドンに対し、下記のステップを実施するステップ；
（1）一組の縮重プライマーを提供するステップであって、
各プライマーが鋳型ポリヌクレオチドのコドンに対応する縮重コドンと、鋳型ポリヌクレオチドのコドンに隣接する配列に相同な少なくとも一つの隣接する配列を含んでいる前記ステップ、
（2)プライマーを鋳型ポリヌクレオチドのコピーにアニールさせる条件を提供するステップ、
（3)鋳型にそってプライマーからポリメラーゼ伸長反応を実施し、それによってアニールするプライマーの縮重コドンに対応する配列をそれぞれが含む、子孫ポリヌクレオチドを生産するステップ、
を含み、それによって、一組の子孫ポリヌクレオチドを製造する前記方法。
【請求項２】
鋳型ポリヌクレオチドが二本鎖形態で提供される、請求項１に記載の方法。
【請求項３】
鋳型ポリヌクレオチドが環状DNAの一部として提供される、請求項１に記載の方法。
【請求項４】
鋳型ポリヌクレオチドが少なくとも長さ１５塩基である、請求項１に記載の方法。
【請求項５】
鋳型ポリヌクレオチドが少なくとも長さ１００アミノ酸のポリペプチドをコードする、請求項１に記載の方法。
【請求項６】
鋳型ポリヌクレオチドが全遺伝子をコードする、請求項１に記載の方法。
【請求項７】
鋳型ポリヌクレオチドがオープンリーディングフレームをコードする、請求項１に記載の方法。
【請求項８】
プライマーが合成オリゴヌクレオチドである、請求項１に記載の方法。
【請求項９】
縮重コドンがN,N,Nである、請求項１に記載の方法。
【請求項１０】
コドンの縮重度が６４倍未満である、請求項１に記載の方法。
【請求項１１】
縮重コドンがN,N,G/Tである、請求項１０に記載の方法。
【請求項１２】
縮重コドンがN,N,G/Cである、請求項１０に記載の方法。
【請求項１３】
縮重コドンがN,N,C/G/T; N,N,A/G/T；及びN,N,A/C/Gから成る群から選択される、請求項１０に記載の方法。
【請求項１４】
コドンの縮重度が３２倍未満である、請求項１に記載の方法。
【請求項１５】
縮重コドンが２０の天然に生じるアミノ酸をコードし得る、請求項１に記載の方法。
【請求項１６】
縮重コドンが、２０未満の天然に生じるアミノ酸をコードし得る、請求項１に記載の方法。
【請求項１７】
縮重コドンがN,N,G/A;N,N,A/C;N,N,A/T;N,N,C/T;N,N,C;
N,N,T; N,N,A/C/T; N,A/C/G,N；N,A/C/T,N;及びN,A/G/T,Nから成る群から選択される、請求項１６記載の方法。
【請求項１８】
プライマーの縮重コドンが相同配列プライマーと隣接している、請求項１に記載の方法。
【請求項１９】
プライマーが鋳型ポリヌクレオチドのコドンに隣接する第２配列に相同である第２配列を含む、請求項１に記載の方法。
【請求項２０】
プライマーが第１の相同配列、縮重コドン、及び第２の相同配列を含む、請求項１９に記載の方法。
【請求項２１】
相同配列が長さ２０塩基である、請求項１９に記載の方法。
【請求項２２】
第１の相同配列が長さ２０塩基であり、縮重コドンがN,N,G/Tであり、そして第２の相同配列が長さ２０塩基である、請求項２１に記載の方法。
【請求項２３】
プライマーが複数の縮重コドンを含む、請求項１に記載の方法。
【請求項２４】
プライマーが２つの縮重コドンを含む、請求項２３に記載の方法。
【請求項２５】
少なくとも２つの複数の縮重コドンが隣接している、請求項２３に記載の方法。
【請求項２６】
少なくとも２つの複数の縮重コドンが離れている、請求項２３に記載の方法。
【請求項２７】
プライマーが鋳型ポリヌクレオチドに付加的な配列を導入するために作用しうる、請求項１に記載の方法。
【請求項２８】
プライマーが鋳型ポリヌクレオチドから配列を削除するために作用しうる、請求項１に記載の方法。
【請求項２９】
第２プライマーをステップ（ｂ）の（２）において、鋳型ポリヌクレオチドにアニールさせる、請求項１に記載の方法。
【請求項３０】
第２プライマーがリバースプライマーである、請求項２９に記載の方法。
【請求項３１】
第２プライマーが縮重プライマーである、請求項２９に記載の方法。
【請求項３２】
第２プライマーが非縮重プライマーである、請求項２９に記載の方法。
【請求項３３】
ステップ（ｂ）が単一の反応槽中で起こる、請求項１に記載の方法。
【請求項３４】
ステップ（ｂ）が鋳型ポリヌクレオチドの各コドンに対して別個の反応槽中で実施される、請求項３３に記載の方法。
【請求項３５】
ステップ（ｂ）が鋳型ポリヌクレオチドの各コドンに対して並行して実施される、請求項３３に記載の方法。
【請求項３６】
ポリメラーゼがPfuポリメラーゼである、請求項１に記載の方法。
【請求項３７】
さらにライゲーションステップを含む、請求項１に記載の方法。
【請求項３８】
ライゲーションステップがT4DNAリガーゼを用いて実施される、請求項３７に記載の方法。
【請求項３９】
さらに、鋳型ポリヌクレオチドのコピーを、選択酵素を用いて処理するステップを含む、請求項１に記載の方法。
【請求項４０】
ステップ（ａ）における鋳型ポリヌクレオチドが、メチル化形態で提供され、そして、さらに（４）鋳型ポリヌクレオチドをDpnIで消化するステップを含む、請求項３９に記載の方法。
【請求項４１】
さらに、子孫ポリヌクレオチドを宿主細胞に形質転換するステップを含む、請求項１に記載の方法。
【請求項４２】
さらに、子孫ポリヌクレオチドを所望の機能特性に対してスクリーニングするステップを含む、請求項１に記載の方法。
【請求項４３】
さらに、子孫ポリペプチドを得るために、子孫ポリヌクレオチドを発現させるステップを含む、請求項１に記載の方法。
【請求項４４】
さらに、子孫ポリペプチドを所望の機能特性に対してスクリーニングするステップを含む、請求項４３に記載の方法。
【請求項４５】
さらに、所望の機能特性を有する子孫ポリペプチドを同定し；そして該同定されたポリペプチドをコードするヌクレオチド配列を得るステップを含む、請求項４４に記載の方法。
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
遊技領域を有する遊技機本体の前面側において開閉可能に設けられ、窓部を有してなる扉体と、前記扉体の背面側に設けられ、前記窓部を介して前記遊技領域を視認可能とする少なくとも２枚の透明体及び該透明体の外周に設けられる保持部材を有してなる透明体ユニットとを具備してなる遊技機において、
前記２枚の透明体の相対向する面に、膜状又は線状の結露防止手段を取着したことを特徴とする遊技機。
【請求項２】
前記透明体を加熱する加熱手段を備えることを特徴とする請求項１に記載の遊技機。
【請求項３】
遊技媒体の運動エネルギーに基づいて発電可能な発電装置を設け、当該発電装置が、当該発電された電気を前記加熱手段に対し供給することにより、加熱手段が透明体を加熱するように構成されていることを特徴とする請求項２に記載の遊技機。
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
始動操作手段が操作されることを契機として、ボーナス役及び複数種類の小役を含む役の成立に関する内部抽選が行われると共に、列毎に複数種類の図柄の変動が開始され、その後、図柄変動列に対応して設けられた複数の停止操作手段が操作されると、変動図柄が当該各停止操作手段の操作順序に応じて順次停止され、全ての列に属する図柄が停止されたときに入賞判定が行われ、その結果、有効ライン上において停止図柄の組み合わせが上記役成立抽選で内部的に成立した役の入賞を示す図柄の組み合わせと一致した場合には、その入賞役の種類に応じた利益を遊技者に付与するスロットマシンであって、
このスロットマシンは、
特定の小役の入賞が成立する度にその入賞成立回数を累積的に蓄積するための蓄積手段と、
遊技に関連するある特定の要件を満足したことを契機に、上記蓄積手段により蓄積された特定小役入賞成立回数に基づいて定められた回数分、実施可能な抽選を行い、この抽選に当選した場合に特典を付与するための特典付与手段と、を含むことを特徴とするスロットマシン。
【請求項２】
上記特定小役入賞成立回数を表示するための手段をさらに含むことを特徴とする請求項１に記載のスロットマシン。
【請求項３】
始動操作手段が操作されることを契機として、ボーナス役及び複数種類の小役を含む役の成立に関する内部抽選が行われると共に、列毎に複数種類の図柄の変動が開始され、その後、図柄変動列に対応して設けられた複数の停止操作手段が操作されると、変動図柄が当該各停止操作手段の操作順序に応じて順次停止され、全ての列に属する図柄が停止されたときに入賞判定が行われ、その結果、有効ライン上において停止図柄の組み合わせが上記役成立抽選で内部的に成立した役の入賞を示す図柄の組み合わせと一致した場合には、その入賞役の種類に応じた利益を遊技者に付与するスロットマシンを制御するための方法であって、
この制御方法は、
特定の小役の入賞が成立する度にその入賞成立回数を累積的に蓄積するためのステップと、
遊技に関連するある特定の要件を満足したことを契機に、上記蓄積された特定小役入賞成立回数に基づいて定められた回数分、実施可能な抽選を行い、この抽選に当選した場合に特典を付与するためのステップと、を含むことを特徴とするスロットマシンの制御方法。
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
始動操作手段が操作されることを契機として、役の成立に関する内部抽選が行われると共に、図柄表示手段により列毎に複数種類の図柄の変動表示が開始され、その後、図柄変動列に対応して設けられた複数の停止操作手段が操作されると、変動表示されている図柄が図柄表示手段により当該各停止操作手段の操作順序に応じて順次停止表示され、全ての列に属する図柄が停止表示されたときに入賞判定が行われ、その結果、有効ライン上において当該停止図柄の組み合わせが上記抽選で内部的に成立したボーナス役の入賞を示す図柄の組み合わせと一致した場合には、遊技状態がボーナスゲーム状態に移行されるスロットマシンであって、
このスロットマシンは、
遊技が消化される度に、ボーナス役入賞回数に関する第１のカウント値と遊技回数に関する第２のカウント値との相対関係を判別するための判別手段と、
この判別手段による判別の結果、上記第１のカウント値と上記第２のカウント値との相対関係が特定の要件を満足することを条件として、当該第１のカウント値及び第２のカウント値の双方をリセットすると共に、所定の特典を付与するための制御手段と、を含むことを特徴とするスロットマシン。
【請求項２】
上記所定の特典は、ボーナスゲームであることを特徴とする請求項１に記載のスロットマシン。
【請求項３】
始動操作手段が操作されることを契機として、役の成立に関する内部抽選が行われると共に、図柄表示手段により列毎に複数種類の図柄の変動表示が開始され、その後、図柄変動列に対応して設けられた複数の停止操作手段が操作されると、変動表示されている図柄が図柄表示手段により当該各停止操作手段の操作順序に応じて順次停止表示され、全ての列に属する図柄が停止表示されたときに入賞判定が行われ、その結果、有効ライン上において当該停止図柄の組み合わせが上記抽選で内部的に成立したボーナス役の入賞を示す図柄の組み合わせと一致した場合には、遊技状態がボーナスゲーム状態に移行されるスロットマシンであって、
このスロットマシンは、
上記役の成立に関する内部抽選でボーナス役が内部的に成立した場合には、ボーナス役の入賞を成立させずに、内部当選役としてのボーナス役を持ち越して累積的にストックするためのストック手段と、
このストック手段によりストックされたボーナス役成立フラグの放出に関連する特定遊技状態においてその遊技が消化される度に、ボーナス役入賞回数に関する第１のカウント値と遊技回数に関する第２のカウント値との相対関係を判別するための判別手段と、
この判別手段による判別の結果、上記第１のカウント値と第２のカウント値との相対関係が特定の要件を満足することを条件として、当該第１のカウント値及び第２のカウント値の双方をリセットすると共に、所定の特典を付与するための制御手段と、を含むことを特徴とするスロットマシン。
【請求項４】
上記所定の特典は、上記ストック手段によりストックされたボーナス役成立フラグの放出を伴うボーナスゲーム、若しくは上記ストック手段によりストックされたボーナス役成立フラグの放出を許容する機会を与えるための抽選であり、又は当該ボーナスゲーム及び当該抽選の双方を含むものであることを特徴とする請求項３に記載のスロットマシン。
【請求項５】
上記特定の要件は、上記第２のカウント値が所定の遊技回数に到達したことを示すまでに、上記第１のカウント値が所定のボーナス役入賞回数に到達したことを示す状態であることを特徴とする請求項１乃至４の何れかに記載のスロットマシン。
【請求項６】
上記ボーナス役入賞回数に関する第１のカウント値と上記遊技回数に関する第２のカウント値との相対関係を表示するための手段をさらに含むことを特徴とする請求項１乃至５の何れかに記載のスロットマシン。
【請求項７】
始動操作手段が操作されることを契機として、役の成立に関する内部抽選が行われると共に、図柄表示手段により列毎に複数種類の図柄の変動表示が開始され、その後、図柄変動列に対応して設けられた複数の停止操作手段が操作されると、変動表示されている図柄が図柄表示手段により当該各停止操作手段の操作順序に応じて順次停止表示され、全ての列に属する図柄が停止表示されたときに入賞判定が行われ、その結果、有効ライン上において当該停止図柄の組み合わせが上記抽選で内部的に成立したボーナス役の入賞を示す図柄の組み合わせと一致した場合には、遊技状態がボーナスゲーム状態に移行されるスロットマシンを制御するための方法であって、
この制御方法は、
遊技が消化される度に、ボーナス役入賞回数に関する第１のカウント値と遊技回数に関する第２のカウント値との相対関係を判別するためのステップと、
上記第１のカウント値と上記第２のカウント値との相対関係が特定の要件を満足することを条件として、当該第１のカウント値及び第２のカウント値の双方をリセットすると共に、所定の特典を付与するためのステップと、を含むことを特徴とするスロットマシンの制御方法。
【請求項８】
始動操作手段が操作されることを契機として、役の成立に関する内部抽選が行われると共に、図柄表示手段により列毎に複数種類の図柄の変動表示が開始され、その後、図柄変動列に対応して設けられた複数の停止操作手段が操作されると、変動表示されている図柄が図柄表示手段により当該各停止操作手段の操作順序に応じて順次停止表示され、全ての列に属する図柄が停止表示されたときに入賞判定が行われ、その結果、有効ライン上において当該停止図柄の組み合わせが上記抽選で内部的に成立したボーナス役の入賞を示す図柄の組み合わせと一致した場合には、遊技状態がボーナスゲーム状態に移行されるスロットマシンを制御するための方法であって、
この制御方法は、
上記役の成立に関する内部抽選でボーナス役が内部的に成立した場合には、ボーナス役の入賞を成立させずに、内部当選役としてのボーナス役を持ち越して累積的にストックするためのステップと、
上記ストックされたボーナス役成立フラグの放出に関連する特定遊技状態においてその遊技が消化される度に、ボーナス役入賞回数に関する第１のカウント値と遊技回数に関する第２のカウント値との相対関係を判別するためのステップと、
上記第１のカウント値と第２のカウント値との相対関係が特定の要件を満足することを条件として、当該第１のカウント値及び第２のカウント値の双方をリセットすると共に、所定の特典を付与するためのステップと、を含むことを特徴とするスロットマシンの制御方法。
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
遊技機製品又は部品を梱包する遊技機梱包箱を封印するための封印装置であって、
前記梱包箱の外形に沿って各枠辺が設けられた箱状の枠体からなり、少なくとも一つの面に開口部を設けた本体と、
その本体の開口部に対して開閉可能に設けられ、矩形状の枠体からなる蓋体と
を備え、
前記本体と前記蓋体とが不可逆的に締結されるように構成されたことを特徴とする遊技機梱包箱封印装置。
【請求項２】
前記本体の各面は、前記梱包箱の各面を画定する各辺に沿って各枠辺が設けられた矩形状の枠体によって構成されたことを特徴とする請求項１に記載の遊技機梱包箱封印装置。
【請求項３】
前記本体の底面部は、全面封止されていることを特徴とする請求項１又は２に記載の遊技機梱包箱用封印装置。
【請求項４】
ドライバ等の治具によって締付け方向にのみ回転可能なワンウェイねじを備え、
前記本体と前記蓋体とは前記ワンウェイねじを介して締結されたことを特徴とする請求項１乃至３のいずれかに記載の遊技機梱包箱封印装置。
【請求項５】
前記本体と前記蓋体との締結部分の少なくとも一部が突設され、その突設部分を破壊することにより締結状態を解除可能であることを特徴とする請求項１乃至４のいずれかに記載の遊技機梱包箱封印装置。
【請求項６】
前記本体及び／又は前記蓋体が樹脂材料によって構成されたことを特徴とする請求項１乃至５のいずれかに記載の遊技機梱包箱封印装置。
【請求項７】
前記本体と前記蓋体との間の締結部が着脱可能であり且つその締結部は前記本体と前記蓋体とが締結された状態で取外し不能に構成されたことを特徴とする請求項１乃至６のいずれかに記載の遊技機梱包箱封印装置。
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
遊技に係る各種制御対象の制御を行う制御手段と、
前記制御に関するデータを記憶する記憶手段と、
少なくとも前記制御手段および前記記憶手段へ電源を分配し電力供給を行う電力供給手段とを備えた遊技機において、
前記記憶手段は、前記電力供給手段からの供給電力が途絶える又は供給電力が低下する停電状態となっても前記データを保持可能に構成され、
前記制御手段は、前記停電状態からの復帰時に、前記記憶手段に記憶されたデータを消去する消去処理を実行可能であり、
前記消去処理は、前記記憶手段の特定領域のデータを消去しないよう構成し、
前記特定領域には、遊技状態の移行を抽選する内部乱数カウンタの値を記憶するようにしたことを特徴とする遊技機。
【請求項２】
遊技に係る各種制御対象の制御を行う制御手段と、
前記制御に関するデータを記憶する記憶手段と、
少なくとも前記制御手段および前記記憶手段へ電源を分配し電力供給を行う電力供給手段と、
前記電力供給手段からの供給電力が途絶える又は供給電力が低下する停電状態となっても前記データを前記記憶手段に保持させるバックアップ手段と、
前記停電状態となったことを判断し、前記制御手段へ停電信号を送出する停電監視手段と、
操作可能な消去スイッチを有し、当該消去スイッチの操作に基づき前記データの消去が指示されたことを検出し、前記制御手段へ消去信号を送出する消去検出手段とを備えた遊技機において、
前記制御手段は、前記停電状態からの復帰時に、前記記憶手段に記憶されたデータを消去する消去処理を実行可能であり、
前記消去処理は、前記記憶手段の特定領域のデータを消去しないよう構成し、
前記特定領域には、遊技状態の移行を抽選する内部乱数カウンタの値を記憶するようにしたことを特徴とする遊技機。
【請求項３】
前記制御手段は、前記記憶手段に記憶されたデータが異常であると判断された場合に、前記消去処理を実行するよう構成されていることを特徴とする請求項１又は２に記載の遊技機。
【請求項４】
前記制御手段は、前記停電状態となった旨の情報が記憶されていない場合に、前記消去処理を実行するよう構成されていることを特徴とする請求項１乃至３のいずれかに記載の遊技機。
【請求項５】
前記制御手段は、前記消去検出手段からの消去信号に基づいて、前記消去処理を実行するよう構成されていることを特徴とする請求項１乃至４のいずれかに記載の遊技機。
【手続補正書】
【提出日】平成19年1月24日(2007.1.24)
【手続補正１】
【補正対象書類名】特許請求の範囲
【補正対象項目名】請求項１
【補正方法】変更
【補正の内容】
【請求項１】
ロータ磁極位置検出用ホール素子と、該ホール素子の出力を受けたロジック信号
とロータの回転をパルス信号に変換するパルス信号とロータロック時のロック検
出信号を出力するモータ駆動用ドライバＩＣと、パワー制御素子とを有し、巻線
電流検出回路と、しきい値電圧発生回路と、前記電流検出回路の出力としきい値
電圧とを比較する比較回路と共に、巻線電流を所定の値に制限する電流リミッタ
回路をも備えるブラシレスＤＣモータの駆動回路において、
ベースが前記モータ駆動用ドライバＩＣ（２）のロック検出信号端子（Ｒ）に、
エミッタが制御用電源（ＶＣＣ）に、コレクタが第２のトランジスタ（２１）の
エミッタに接続された第１のトランジスタ（２０）と、ベースが前記モータ駆動
用ドライバＩＣ（２）のパルス信号端子（Ｐ）に、コレクタがダイオード（２２）
に接続された前記第２のトランジトランジスタ（２１）と、前記ダイオード（２
２）と接地間に接続された抵抗（２３）と、該ダイオード（２２）と抵抗（２３）
との接続点と接地間に直列接続されたコンデンサ（２４）及び抵抗（２５）と、
該コンデンサ（２４）と抵抗（２５）との接続点及び第３のトランジスタ（２８）
のベース間に直列接続されたダイオード（２６）及び抵抗（２７）と、前記第３
のトランジスタ（２８）のコレクタと制御用電源（ＶＣＣ）の間に接続された抵
抗（２９）と、同第３のトランジスタ（２８）のエミッタと接地間に接続された
コンデンサ（３０）と、同第３のトランジスタ（２８）のエミッタと制御用電源
（ＶＣＣ）との間に接続された抵抗（３１）と、同第３のトランジスタ（２８）
のエミッタと接地間に直列接続された抵抗（３２）及びコンデンサ（３４）と、
該抵抗（３２）とコンデンサ（３４）との接続点と接地間に接続された抵抗（３
５）と、＋側端子が前記抵抗（３２）とコンデンサ（３４）との接続点に接続さ
れ、−側端子が抵抗（３７）を介して接地されると共に、該−側端子が抵抗（７）
を介して電流検出抵抗（６）に接続される比較回路（３６）とより成ること、を
特徴とする回転数に同期した可変型電流リミッタ回路を備えるブラシレスモータ
の駆動回路。
【手続補正２】
【補正対象書類名】明細書
【補正対象項目名】発明の名称
【補正方法】変更
【補正の内容】
【発明の名称】可変型電流リミッタ回路を備えるブラシレスモータの駆動回路
【手続補正書】
【提出日】平成19年4月5日(2007.4.5)
【手続補正１】
【補正対象書類名】明細書
【補正対象項目名】特許請求の範囲
【補正方法】変更
【補正の内容】
【特許請求の範囲】
【請求項１】  物体の角度または位置の動きに応じて位相の異なる２つの周期信号と少なくとも一つの基準位置信号とを生成し、
前記周期信号の二値化した二値化信号を２分の１周期ごとに計数するとともに、前記周期信号の位相に同期して前記基準位置信号によって前記計数値を初期化し、
前記周期信号のアナログ／デジタル変換値をもとに周期内を内挿して内挿値を求め、
前記計数値と前記内挿値を合成するとき、前記周期信号の計数のタイミングと前記内挿値の切り替わりタイミングの不一致を、前記計数値の二進数における最下位桁の情報で補正することを特徴とする内挿信号の合成方法。
【請求項２】  物体の角度または位置の動きに応じて位相の異なる２つの周期信号を生成する周期信号生成手段と、
前記の物体の角度または位置の動きに応じて少なくとも一つの基準位置信号を生成する基準位置信号生成手段と、
前記周期信号のそれぞれを二値化する二値化手段と、
前記周期信号の二値化信号を２分の１周期ごとに計数する計数手段と、
前記周期信号の位相に同期して前記基準位置信号によって前記計数手段の計数値を初期化する計数初期化信号作成手段と、
前記周期信号をアナログ／デジタル変換する変換手段と、
前記周期信号のアナログ／デジタル変換値をもとに周期内を内挿して内挿値を求め、前記計数値と前記内挿値を合成するとき、前記周期信号の計数のタイミングと前記内挿値の切り替わりタイミングの不一致を、前記計数値の二進数における最下位桁の情報で補正する信号処理手段とを備えたことを特徴とする内挿信号の合成装置。
【手続補正書】
【提出日】平成19年6月27日(2007.6.27)
【手続補正１】
【補正対象書類名】明細書
【補正対象項目名】発明の名称
【補正方法】変更
【補正の内容】
【発明の名称】弾性表面波素子及びその製造方法
【手続補正２】
【補正対象書類名】明細書
【補正対象項目名】特許請求の範囲
【補正方法】変更
【補正の内容】
【特許請求の範囲】
【請求項１】
単結晶材料を切断しウエハを形成する切断工程と、
上記ウエハの両面を所定の厚さまで研磨する研磨工程と、
上記ウエハ表面を研削する研削工程と、
上記ウエハ表面を鏡面研磨する鏡面研磨工程と、
上記ウエハ表面に素子を形成する素子形成工程とを具備することを特徴とする弾性表面波素子の製造方法。
【請求項２】
上記研削工程と上記鏡面研磨工程との間に上記ウエハ周縁部を鏡面研磨する周縁部鏡面研磨工程を具備することを特徴とする請求項１に記載の弾性表面波素子の製造方法。
【請求項３】
単結晶材料を切断しウエハを形成する切断工程と、
上記ウエハの両面を所定の厚さまで研磨する研磨工程と、
上記ウエハ両面を鏡面研磨する鏡面研磨工程と、
上記ウエハ裏面を所定の面粗さに研削する研削工程と、
上記ウエハ表面に素子を形成する素子形成工程とを具備することを特徴とする弾性表面波素子の製造方法。
【請求項４】
上記研磨工程と上記鏡面研磨工程との間に上記ウエハ周縁部を鏡面研磨する周縁部鏡面研磨工程を具備することを特徴とする請求項３に記載の弾性表面波素子
【請求項５】
単結晶材料を切断しウエハを形成する切断工程と、
上記ウエハの両面を所定の厚さまで研磨する研磨工程と、
上記ウエハ周縁部を鏡面研磨する周縁部鏡面研磨工程と、
上記ウエハ表面を研削する研削工程と、
上記ウエハ表面を鏡面研磨する鏡面研磨工程と、
上記ウエハ表面に素子を形成する素子形成工程とを具備することを特徴とする弾性表面波素子の製造方法。
【請求項６】
上記単結晶材料はタンタル酸リチウムであることを特徴とする請求項１乃至５のいずれか記載の弾性表面波素子の製造方法。
【請求項７】
上記単結晶材料はニオブ酸リチウムであることを特徴とする請求項１乃至５のいずれか記載の弾性表面波素子の製造方法。
【請求項８】
上記単結晶材料は水晶であることを特徴とする請求項１乃至５のいずれか記載の弾性表面波素子の製造方法。
【請求項９】
単結晶材料を切断しウエハを形成する切断工程と、
上記ウエハの両面を所定の厚さまで研磨する研磨工程と、
上記ウエハ表面を研削する研削工程と、
上記ウエハ表面を鏡面研磨する鏡面研磨工程と、
上記ウエハ表面に素子を形成する素子形成工程とで製造されることを特徴とする弾性表面波素子。
【請求項１０】
単結晶材料を切断しウエハを形成する切断工程と、
上記ウエハの両面を所定の厚さまで研磨する研磨工程と、
上記ウエハ両面を鏡面研磨する鏡面研磨工程と、
上記ウエハ裏面を所定の面粗さに研削する研削工程と、
上記ウエハ表面に素子を形成する素子形成工程とで製造されることを特徴とする弾性表面波素子。
【請求項１１】
単結晶材料を切断しウエハを形成する切断工程と、
上記ウエハの両面を所定の厚さまで研磨する研磨工程と、
上記ウエハ周縁部を鏡面研磨する周縁部鏡面研磨工程と、
上記ウエハ表面を研削する研削工程と、
上記ウエハ表面を鏡面研磨する鏡面研磨工程と、
上記ウエハ表面に素子を形成する素子形成工程とで製造されることを特徴とする弾性表面波素子。
【手続補正３】
【補正対象書類名】明細書
【補正対象項目名】００２１
【補正方法】変更
【補正の内容】
【００２１】
（８）上記（１）〜（５）いずれかに記載された弾性表面波素子の製造方法であって、上記単結晶材料は水晶であることを特徴とする。
（９）単結晶材料を切断しウエハを形成する切断工程と、上記ウエハの両面を所定の厚さまで研磨する研磨工程と、上記ウエハ表面を研削する研削工程と、上記ウエハ表面を鏡面研磨する鏡面研磨工程と、上記ウエハ表面に素子を形成する素子形成工程とで製造されることを特徴とする。
（１０）単結晶材料を切断しウエハを形成する切断工程と、上記ウエハの両面を所定の厚さまで研磨する研磨工程と、上記ウエハ両面を鏡面研磨する鏡面研磨工程と、上記ウエハ裏面を所定の面粗さに研削する研削工程と、上記ウエハ表面に素子を形成する素子形成工程とで製造されることを特徴とする。
（１１）単結晶材料を切断しウエハを形成する切断工程と、上記ウエハの両面を所定の厚さまで研磨する研磨工程と、上記ウエハ周縁部を鏡面研磨する周縁部鏡面研磨工程と、上記ウエハ表面を研削する研削工程と、上記ウエハ表面を鏡面研磨する鏡面研磨工程と、上記ウエハ表面に素子を形成する素子形成工程とで製造されることを特徴とする。
【手続補正書】
【提出日】平成19年5月21日(2007.5.21)
【手続補正１】
【補正対象書類名】明細書
【補正対象項目名】請求項１
【補正方法】変更
【補正の内容】
【請求項１】
非晶質シリコン半導体薄膜を堆積したガラス基板を一定方向に移動させながらパルスレーザビームを照射することによって、非晶質シリコン半導体を、多結晶シリコン半導体に変移させるレーザアニール方法において、
前記非晶質シリコン薄膜に照射されるレーザビームの長手方向の中心線を、前記ガラス基板の前記非晶質シリコン半導体が多結晶シリコン半導体に変移された後の画素に対応する領域が配列されて定義される直線に対して、角度θ傾けて前記レーザビームを照射することを特徴とするレーザアニール方法。
【手続補正２】
【補正対象書類名】明細書
【補正対象項目名】請求項７
【補正方法】変更
【補正の内容】
【請求項７】
非晶質シリコン半導体薄膜を堆積したガラス基板を一定方向に移動させながらパルスレーザビームを照射することによって、非晶質シリコン半導体を、多結晶シリコン半導体に変移させる薄膜トランジスタの製造方法において、
前記非晶質シリコン薄膜に照射されるレーザビームの長手方向の中心線を、前記ガラス基板の前記非晶質シリコン半導体が多結晶シリコン半導体に変移された後の画素に対応する領域が配列されて定義される直線に対して、角度θ傾けて前記レーザビームを照射することを特徴とする薄膜トランジスタの製造方法。
【手続補正３】
【補正対象書類名】明細書
【補正対象項目名】００１３
【補正方法】変更
【補正の内容】
【００１３】
【課題を解決するための手段】
この発明は、上述した問題点に基づきなされたもので、非晶質シリコン半導体薄膜を堆積したガラス基板を一定方向に移動させながらパルスレーザビームを照射することによって、非晶質シリコン半導体を、多結晶シリコン半導体に変移させるレーザアニール方法において、前記非晶質シリコン薄膜に照射されるレーザビームの長手方向の中心線を、前記ガラス基板の前記非晶質シリコン半導体が多結晶シリコン半導体に変移された後の画素に対応する領域が配列されて定義される直線に対して、角度θ傾けて前記レーザビームを照射することを特徴とするレーザアニール方法を提供するものである。